(57)【要約】【課題】極めて軽く持ち手部分を握ったり、利き指数本で持ち手部分を持つだけでも持ち手部分がしっかりと掌や指先にフィットする感覚に優れた持ち手部分を提供すること。【解決手段】植毛部２０と、植毛部２０と一体にされた持ち手部分３１とを有する歯ブラシ１であって、持ち手部分３１の外周面に三次元的凹凸部４０を有し、三次元的凹凸部４０は、複数の単位面５０と、単位面５０を画成する境界稜線６０と、境界稜線６０同士が交わってできる交叉点部７０とを有し、境界稜線６０及び交差点部７０は、単位面５０よりも相対的に外側に位置し、単位面５０は対向する交差点部７０−７０間で滑らかに凹む凹曲面形状とされ、単位面５０は、持ち手部分３１の周方向において隣接する単位面５０との対比で持ち手部分３１の軸方向に相対的にずれていることを特徴とする。【選択図】図１
2007236768.tif 000002
【特許請求の範囲】
【請求項１】
持ち手部分を有する物品の作用部と一体にされた持ち手部分の構造であって、前記持ち手部分は、その外周面に三次元的凹凸部を有し、この三次元的凹凸部は、複数の単位面と、当該単位面を画成する境界稜線と、当該境界稜線同士が交わってできる交叉点部とを有し、前記境界稜線及び交差点部は、前記単位面よりも持ち手部分の軸心から相対的に外側に位置し、前記単位面は、対向する交差点部間で滑らかに凹む凹曲面形状とされるとともに、前記持ち手部分の周方向において隣接する単位面との対比で持ち手部分の軸方向に相対的にずれていることを特徴とする持ち手部分の構造。
【請求項２】
前記単位面の凹みの曲率半径は、平均的サイズの指球の曲率半径とされていることを特徴とする請求項１に記載の持ち手部分の構造。
【請求項３】
前記三次元的凹凸部は、持ち手部分の外周面のほぼ全域に形成されていることを特徴とする請求項１又は２に記載の持ち手部分の構造。
【請求項４】
前記持ち手部分には、持ち手部分を有する物品を一時的に使用しないときに、使用者のズボンのベルトやウエスト部分の上端縁その他係止可能な部位に引っ掛ける係止部が形成されていることを特徴とする請求項１〜３のいずれかに記載の持ち手部分の構造。
【請求項５】
請求項１〜４のいずれかに記載の持ち手部の構造が適用された歯ブラシ。
【請求項６】
請求項１〜４のいずれかに記載の持ち手部の構造が適用されたひげ剃り用のレザー。
【請求項７】
請求項１〜４のいずれかに記載の持ち手部の構造が適用されたメーキャップ用化粧用具であるマスカラブラシ。
【請求項８】
請求項１〜４のいずれかに記載の持ち手部の構造が適用されたメーキャップ用化粧用具であるアイライナー。
【請求項９】
請求項１〜４のいずれかに記載の持ち手部の構造が棒状の柄の部分に適用されたメーキャップ用化粧用具。
【請求項１０】
前記メーキャップ用化粧用具はアイブロウペンシルであることを特徴とする請求項９に記載のメーキャップ用化粧用具。
【請求項１１】
前記メーキャップ用化粧用具はパウダーブラシであることを特徴とする請求項９に記載のメーキャップ用化粧用具。
【請求項１２】
前記メーキャップ用化粧用具はファンブラシであることを特徴とする請求項９に記載のメーキャップ用化粧用具。
【請求項１３】
前記メーキャップ用化粧用具はリップブラシであることを特徴とする請求項９に記載のメーキャップ用化粧用具。
【請求項１４】
請求項１〜４のいずれかに記載の持ち手部の構造が適用された両刃カミソリ。
【請求項１５】
請求項１〜４のいずれかに記載の持ち手部の構造が適用されたカールアイロン。
【発明の詳細な説明】
【技術分野】
【０００１】
本発明は持ち手部分の構造に関する。
【背景技術】
【０００２】
人が手にもって操作する物には、掌や指先で当該物を持つための柄や取っ手その他の持ち手部分がある。これら持ち手部分には、滑り防止を目的として、滑り止め孔を複数設けたものや、ゴムその他の摩擦係数の大きな樹脂を組み込んで複合品としたものが提案されている（例えば特許文献１参照）。
【０００３】
しかし、持ち手部分に滑り止め孔を設ける場合、持ち手部分を握ったときに掌のうち、滑り止め孔が当たる箇所においてのみ滑り効果が限定され、当該箇所にのみ圧迫が繰り返されるようになる。このため、長い間には皮膚表面の角質が硬く厚くなり、場合によってはその部分がたこになってしまう虞がある。
【０００４】
そして、持ち手部分に滑り防止に摩擦係数の大きな樹脂を組み込む場合は、持ち手部分は複合品となるから成形が面倒である。
【０００５】
いずれにしろ、持ち手部分のうち滑り止め孔の形成箇所や、摩擦係数の大きな樹脂が組み込まれている箇所を意識して持たないと滑り防止効果を得られない。このため、当該効果を得るためには、持ち手部分を使用者は意識して持つ必要が生じる。よってそれだけ作業性が低下する。
【０００６】
また、物によっては、持ち手部分を有する物品を極めて軽く把持したり、利き指数本でもって作業したりするようなデリケートな作業を要する場合があるが、このとき、指先の湾曲と持ち手部分の表面形状とがちょうど良く適合していないと、作業中にその物を落としてしまうようなことが考えられる。
【０００７】
なお、デリケートな作業を要する場合に用いられる物としては、歯ブラシ、ひげ剃り用のレザー、目元のメーキャップ用化粧用具であるマスカラブラシやリキッドアイライナー用のブラシ、眉を描くアイブロウペンシル、口紅を付けるリップブラシ、パウダーやリキッドを顔のメーキャップ用に付けるのに用いるパウダーブラシやファンブラシ等を挙げられる。
【特許文献１】実開平７−３９５６９号公報
【発明の開示】
【発明が解決しようとする課題】
【０００８】
本発明はこのような実情に鑑みてなされたものであり、その解決しようとする課題は、持ち手部分を極めて軽く握ったり、利き指数本で持ったりする場合でも、持ち手部分がしっかりと掌や指先にフィットする持ち手部の構造を提供することにある。
【課題を解決するための手段】
【０００９】
そこで本発明は、上記課題を解決するために以下の手段を採用した。
【００１０】
すなわち、本発明は、持ち手部分を有する物品の作用部と一体にされた持ち手部分の構造であって、前記持ち手部分は、その外周面に三次元的凹凸部を有し、この三次元的凹凸部は、複数の単位面と、当該単位面を画成する境界稜線と、当該境界稜線同士が交わってできる交叉点部とを有し、前記境界稜線及び交差点部は、前記単位面よりも持ち手部分の
軸心から相対的に外側に位置し、前記単位面は、対向する交差点部間で滑らかに凹む凹曲面形状とされるとともに、前記持ち手部分の周方向において隣接する単位面との対比で持ち手部分の軸方向に相対的にずれていることを特徴とする。
【００１１】
三次元的凹凸部とは、平面的に凹凸ではなく立体的に凹凸という意味である。また三次元的凹凸部を構成する単位面は、その横断面や縦断面が湾曲やＵ乃至Ｖ形状の窪みとなって表れるものをいう。
【００１２】
したがって、本発明の持ち手部分の構造によれば、持ち手部分の外表面に三次元的凹凸部が形成されているので、三次元的凹凸部のない持ち手部分に比べ、手に取ったときに持ち手部分表面と掌や指先との密着度合いが高い。このため、使用者が持ち手部分を握ったり、又は利き指で持ったときに持ち手部分から伝わってくるフィット感が優れている。よって持ち手部分が掌や指先から離れにくい（滑りにくい）。
【００１３】
また三次元的凹凸部を持ち手部分の外表面のほぼ全域に形成しておくことで、どこを持っても掌や指先が持ち手部分から離れにくくなるので、当該効果を得るために持ち手部分の特定箇所を持たなければならないという意識を払拭できる。よって作業性を向上できる。
【００１４】
前記単位面の凹みの曲率半径は、平均的サイズの指球の曲率半径とされていると好適である。
【００１５】
前記作用部と、前記持ち手部分とは、螺合手段によって一体化するようにしてもよい。
【００１６】
前記持ち手部分には、持ち手部分を有する物品を一時的に使用しないときに、使用者のズボンのベルトやウエスト部分の上端縁、適宜のひもその他係止可能な部位や箇所に引っ掛ける係止部が形成されていると便利である。
【発明の効果】
【００１７】
本発明の持ち手部分によれば、フィット感が高く、また持ち手部分が掌や指先から離れにくいため、デリケートな作業を行う際に持ち手部分を介して微妙な感触が使用者に伝わってくる。したがって、当該物品を用いる対象がデリケートな人の皮膚等であってもその人に会った最適な力の入れ方で操作が可能である。
【００１８】
また、持ち手部分を軽く握っていても落下しにくい。また三次元的凹凸部を持ち手部分の外表面のほぼ全域に形成しておくことで、どこを持っても掌や指先が持ち手部分から離れにくくなるので、当該効果を得るために持ち手部分の特定箇所を持たなければならないという意識を払拭できる。よって作業性を向上できる。
【発明を実施するための最良の形態】
【００１９】
以下、図面を参照して本発明に係る持ち手部分の構造の好適な実施形態を説明する。
【実施例１】
【００２０】
図１〜図１２を参照して実施例１を説明する。
この実施例１では本発明に係る持ち手部の構造を歯ブラシに適用した場合について開示する。
【００２１】
歯ブラシ１は、例えば合成樹脂や木材でできたものであり、作用部である植毛部２０と、この植毛部２０と一体に形成されかつ同軸で棒状をした持ち手部分３１とを有する。
【００２２】
植毛部２０には所定範囲にブラシ毛２１が植毛されており、この部分に歯磨粉が付けられる。
【００２３】
持ち手部分３１は、その両端を除き、外周面のほぼ全域に三次元的凹凸部４０を有する。
また、持ち手部分３１の先端、すなわち植毛部２０に対し、歯ブラシ１の軸方向において反対側に位置する端部には、使用者が歯ブラシ１を一時的に持てないとき、例えば歯を磨く前後に顔を洗ったりうがいをしたりして両手が使えないような場合に、洗面台の適所に設けられたひも等に吊下するための係止部３２が形成されている（図１２参照）。係止部３２は、縦断面で疑問符”？”のごとき形状にされている。なお、係止部３２は無くてもよい。
【００２４】
三次元的凹凸部４０とは、図１・図２・図５・図１０等からわかるように、単位面５０と、単位面５０を多数画成する境界稜線６０と、境界稜線同士が交わってできる交叉点部７０とを構成要素とする立体的な凹凸部のことである。交叉点部７０は、境界稜線同士６０が線状に交叉している箇所である。なお、境界稜線６０は、持ち手部分３１の軸（長手）方向に蛇行して伸びているように見える。
【００２５】
要するに三次元的凹凸部４０は、図９に示すような、頂点ａ・ｂ・ｃ及びｄを結ぶほぼ四辺形の単位面５０が多数組み合わされてなるものである。なおこの実施形体では、単位面５０の四角形状は、図２・図５・図９に示すように、軸方向に長めの菱形状をしている。また単位面５０は、境界稜線６０を介して他の単位面５０に隣接している。
【００２６】
そして、単位面５０は、境界稜線６０を構成する一定区間ａｂ・ｂｃ・ｃｄ及びｄａによって画成された面である。これら境界稜線６０の一部である一定区間ａｂ・ｂｃ・ｃｄ及びｄａに引線された境界稜線のことをこの明細書では単位面の稜線といい、符号６０ａｂ・６０ｂｃ・６０ｃｄ及び６０ｄａで示す（図９参照）。
【００２７】
また、単位面５０の頂点ａ・ｂ・ｃ及びｄのうち、持ち手部分３１の軸方向において植毛部２０を上方に向けた場合における頂点ａを上方頂点ａといい、頂点ｃを下方頂点ｃといい、その場合において周方向左方に位置する頂点ｂを左方頂点ｂといい、右方に位置する頂点ｄを右方頂点ｄという。
【００２８】
上方頂点ａと下方頂点ｃとは、同一径の仮想円Ｃ１上に位置する（図１０参照）。そして、左方頂点ｂと右方頂点ｄとは、別の同一径の仮想円Ｃ２上に位置する（図１１参照）。
【００２９】
仮想円Ｃ１の半径ｒ１と仮想円Ｃ２の半径ｒ２とが、単位面５０の凹みの曲率半径となる。好ましくは、仮想円Ｃ１の半径ｒ１が、使用者（例えば日本人）の平均的サイズの指球（指端の腹面のこと）の長手方向における曲率半径と合致し、仮想円Ｃ２の半径ｒ２が同じく指球の幅方向における曲率半径に合致されていると好適である。
【００３０】
換言すると、単位面５０は、対向する頂点ａ−ｃ間でその中央点を最下部にして滑らかに凹み（図１０参照）、対向する頂点ｂ−ｄ間でもその中央点を最下部にして滑らかに凹んでいる（図１１参照）。なお、単位面５０のうち、頂点ａ−ｃ間で中央に位置する点と頂点ｂ−ｄ間で中央に位置する点とは同じであり、符号ｍで示すとともに以下中央点という。
【００３１】
各頂点ａ〜ｄは、頂点といっても点ではなく幾分湾曲されている。よって、単位面５０を構成する単位面の稜線６０ａｂ・６０ｂｃ・６０ｃｄ・６０ｄａ、延いては境界稜線６
０は、曲線と直線とからなる線といえる。
【００３２】
また、単位面５０の稜線６０ａｂ・６０ｂｃ・６０ｃｄ・６０ｄａ並びに頂点ａ・ｂ・ｃ・ｄは、単位面５０における実際の面となる部分、換言すれば稜線６０ａｂ・６０ｂｃ・６０ｃｄ・６０ｄａによって囲繞されている部分（以下実面部）５０’（図９〜図１１参照）よりも、持ち手部分３１の軸心Ｃ（図１及び図８参照）から相対的に外側に位置する（凸となっている）。
【００３３】
さらに、単位面５０は、持ち手部分３１の周方向において隣接する単位面５０と持ち手部分３１の軸方向において対角線ａｃの長さの二分の一の長さ分、相対的にずれている（図１及び図５参照）。
【００３４】
一方、単位面の稜線６０ａｂ・６０ｂｃ・６０ｃｄ・６０ｄａは、上方頂点ａ及び下方頂点ｃの側の端で最も外方に突出し、各稜線６０ａｂ・６０ｂｃ・６０ｃｄ・６０ｄａの中間に行くに従って軸心Ｃからの距離が減少するようになっている（図８〜図１１参照）。すなわち単位面５０を軸方向に投影したときに上方頂点ａ及び下方頂点ｃとが重なり、幅方向に投影したときに左方頂点ｂ及び右方頂点ｄが重なる。
【００３５】
また、対角線ａｃは、対角線ｂｄと立体交叉し、対角線ｂｄよりも軸心Ｃから外側に位置するようになっている。このような位置関係にあることから、四辺形ａｂｃｄは、同一平面上にない面、すなわち湾曲乃至折れ曲がった面となっているといえる。
【００３６】
単位面５０としての菱形寸法は、平面で見た場合の周方向における対角線（以下、周方向対角線）ｂｄの長さをＷとし（図１１参照）、同じく平面で見た場合の軸方向における対角線（以下、軸方向対角線）ａｃの長さをＬとすると（図１０参照）、Ｗ及びＬはそれぞれ単位面５０を平面で見た場合において、歯ブラシ１の周方向における単位面５０の最大巾及び歯ブラシ１の軸方向における最大長さとなる。
【００３７】
そして軸方向対角線ａｃの長さＬと軸方向対角線ａｃに沿った単位面５０の縦断面での実際の長さＬ’（図１０参照）とが異なること、並びに周方向対角線ｂｄの長さＷと周方向対角線ｂｄに沿った単位面５０の横断面での実際の長さＷ’（図１１参照）とが異なることは、前述した説明から明らかである。
【００３８】
よって、単位面５０は、図８・図１０及び図１１に示すように、その断面が湾曲やＵ乃至Ｖ形状の窪みとなって表れる。
【００３９】
したがって、このような単位面５０を多数有する三次元的凹凸部４０が形成されている持ち手部分３１の横断面は、図６〜図８に示すように軸心Ｃ側に凹む凹曲辺からなるほぼ四角形状になるとともに、当該四角形状断面の各頂点は、幾分、丸みが付けられている。
【００４０】
なお、単位面の具体的寸法は次の通りである。
単位面の周方向対角線長さＷ：１０ｍｍ〜１２ｍｍ
単位面の軸方向対角線長さＬ：２０ｍｍ〜２２ｍｍ
頂点ａの角度：６０°
頂点ｂの角度：１２０°
頂点ｃの角度：６０°
頂点ｄの角度：１２０°
単位面の稜線６０ａｂ・６０ｂｃ・６０ｃｄ・６０ｄａの長さ：１０〜１２ｍｍ
仮想円Ｃ１の半径ｒ１：１９ｍｍ〜２４ｍｍ
仮想円Ｃ１の半径ｒ２：１９ｍｍ〜２４ｍｍ
【００４１】
このような三次元的凹凸部４０を構成する多数の単位面５０は、それらの一つ一つが滑らかに凹む凹曲面形状とされているばかりか、三次元的凹凸部４０は、使用者（例えば日本人）の平均的サイズの指球（指端の腹面のこと）の長手方向における曲率半径と合致し、仮想円Ｃ２の半径ｒ２が同じく指球の幅方向における曲率半径に合致されているので、持ち手部分３１を手にしたときの感触がよく、また良く馴染む。
【００４２】
したがって、三次元的凹凸部４０を有する構造の持ち手部分３１を使用者が握ったり（図３参照）、又は利き指で持ったとき（図４参照）に、持ち手部分３１から伝わってくるフィット感は優れたものになる。
【００４３】
持ち手部分３１は、このようにフィット感に優れているので、持ち手部分に三次元的凹凸部４０のない持ち手部分に比べ、持ち手部分３１を手に取ったときに持ち手部分３１の表面と掌（利き指）との密着度合いが高まり、持ち手部分３１が掌や指から滑りにくくなるので離れにくい。よって、持ち手部分３１を軽く握っていても落下しにくい。
【００４４】
また持ち手部分３１を介して微妙な感触が使用者に伝わってくる。したがって、敏感な歯肉にブラシが当たる場合でも、その人に会った最適かつ微妙な力の入れ具合が可能である。
【００４５】
さらに、単位面５０は、持ち手部分３１の外周面のほぼ全域に多数形成されているので、持ち手部分３１のどこを持っても滑り防止効果を奏する。この結果、どこを持っても掌や指先が持ち手部分から離れにくくなるので、当該効果を得るために持ち手部分の特定箇所を持たなければならないという意識を払拭できる。よって、持ち手部分の特定箇所でなければ滑り防止効果を得られない従来の持ち手部分に比べ、使い勝手が向上し、作業性が向上する。
【実施例２】
【００４６】
図１３を参照して実施例２を説明する。
実施例２にあっては本発明の持ち手部の構造をひげ剃り用のレザーの持ち手部に適用したものであり、持ち手部分は実施例１と同一である。よって同一部分には同一符号を付して説明を省略する。
【００４７】
ひげ剃り用のレザー１Ａは、作用部であるレザー部２０Ａと、レザー部２０Ａと一体に形成された持ち手部分３１Ａとを有する。
【００４８】
実施例２にあっても実施例１と同様、三次元的凹凸部４０により持ち手部分３１Ａを握ったり又は利き指で持ったときのフィット感が極めて優れているといえる。よって、使用者が持ち手部分３１Ａを軽く握る場合でも、又は利き指数本でもって作業する場合でも持ち手部分３１Ａが掌から離れにくい。
【００４９】
このため、レザーを使用してヒゲを剃るシェービングを行う際に微妙な力具合による調整ができる。したがって好適なシェービングが可能であると供に、持ち手部分を軽く握っていても落下しにくくすることができる。
【実施例３】
【００５０】
図１４を参照して実施例３を説明する。
実施例３にあっては、本発明の持ち手部の構造を、睫毛に塗布して睫毛を濃く長くみせ、目の印象を強める目的で用いられるアイメイクアップ化粧品の一つであるマスカラを睫毛に塗布するマスカラブラシの持ち手部に適用したものである。
当該持ち手部分は、実施例１や実施例２と同一である。よって同一部分には同一符号を付して説明を省略する。
【００５１】
マスカラブラシ１Ｂは、作用部であるブラシ部２０Ｂと、ブラシ部２０Ｂと一体に同軸上に形成された持ち手部分３１Ｂとを有する。
【００５２】
ブラシ部２０Ｂは、棒状をした先端部の所定領域に多数の短寸ブラシ２１Ｂを有する。
【００５３】
持ち手部分３１Ｂは、直径でブラシ部２０Ｂの４倍ほどの大きさでかつブラシ部２０Ｂよりもわずかに短めであり、大凡、人の指３本程度の長さである。そしてその表目には、実施例１や実施例２と同様、三次元的凹凸部４０が形成されている。
【００５４】
マスカラブラシ１Ｂによりマスカラを睫毛に塗布するときは、持ち手部分３１Ｂを利き指で持ち、ブラシ部２０Ｂをマスカラの入っているマスカラ容器１００内にその開口１００ａから入れる。これによりブラシ部２０Ｂの短寸ブラシ２１Ｂにマスカラが付くので、マスカラブラシ１Ｂをマスカラ容器１００から取り出して、短寸ブラシ２１Ｂについたマスカラを睫毛に塗る。
【００５５】
実施例３にあっても持ち手部分３１Ｂには三次元的凹凸部４０が形成されているので、これを利き指で持ったときの指に持ち手部分３１Ｂがフィットする感覚が極めて優れているといえる。よって、使用者はマスカラブラシ１Ｂを扱い易く感じるだけでなく、持ち手部分３１Ｂが指から離れにくくなる。
【００５６】
このため、マスカラブラシ１Ｂでマスカラを睫毛に塗る際に微妙な力具合による調整ができるので、好適なマスカラの塗布が可能である。
【００５７】
なお、実施例３の応用例として白目や目の形をくっきり大きく見せるための、アイラインを縁取りする道具であってマスカラブラシと形態が似ているリキッドアイライナーの持ち手部分にも適用できるのは勿論である。
【００５８】
リキッドアイライナーとマスカラブラシの違いは、マスカラブラシのブラシ部分がリキッド状の顔料を塗布するための筆部になっているという点だけである（図１５参照）。なお、図１５において筆部を符号２１ｂで示し、マスカラブラシと同一の他の部分にはマスカラブラシに付けた符号と同一の符号を付して説明を省略する。
【実施例４】
【００５９】
図１６を参照して実施例４を説明する。
実施例４にあっては、本発明の持ち手部の構造を、棒状の柄の部分を有するメーキャップ用化粧用具に適用したものである。棒状の柄の部分を有するメーキャップ用化粧用具としては、眉を描くためのアイブロウペンシル、パウダーを肌の凹凸に隙間なく埋めてキメ肌をつくるための柔らめのブラシを有するパウダーブラシ、グラデーションを入れるためのファンブラシ、口紅を塗るためのリップブラシ等を挙げられる。
【００６０】
図１６はアイブロウペンシル１Ｃを例示する。
アイブロウペンシル１Ｃは、作用部である芯先２０Ｃと、持ち手部分である柄３１Ｃとからなる。柄３１Ｃに本発明の持ち手部の構造が適用されている。よって実施例１〜実施例３と同一部分には同一符号を付して説明を省略する。
【００６１】
実施例４にあっても柄３１Ｃには三次元的凹凸部４０が形成されているので、これを利き指で持ったときの指に柄３１Ｃがフィットする感覚が極めて優れているといえる。よっ
て、使用者はアイブロウペンシル１Ｃが扱い易く感じるだけでなく柄３１Ｃが指から離れにくい。
【００６２】
このため、アイブロウペンシル１Ｃで眉を描く際に微妙な力具合による調整ができるので、好適な眉を描くことが可能である。
【００６３】
なお、図１６では、棒状の柄の部分を有するメーキャップ用化粧用具としてアイブロウペンシルを例示したが、棒状の柄の部分を有する同様のメーキャップ用化粧用具である前記パウダーブラシ、ファンブラシ、リップブラシにも適用でき、その場合、アイブロウペンシル１Ｃの芯先２０ｃの代わりに柄３１Ｃの先端に筆状のブラシがついているだけの違いでしかなく、微妙な力具合による調整をしながら化粧ができる点では同じといえる。
【実施例５】
【００６４】
図１７を参照して実施例５を説明する。
実施例５にあっては、本発明の持ち手部の構造を、両刃カミソリの持ち手部に適用したものである。
【００６５】
両刃カミソリ１Ｄは、作用部である刃部２０Ｄと、持ち手部分である柄３１Ｄとからなる。柄３１Ｄに本発明の持ち手部の構造が適用されている。よって実施例１〜実施例４と同一部分には同一符号を付して説明を省略する。
【００６６】
実施例５にあっても柄３１Ｄには三次元的凹凸部４０が形成されているので、これを利き指で持ったときの指に柄３１Ｄがフィットする感覚が極めて優れているといえる。よって、使用者は両刃カミソリ１Ｄが扱い易く感じるだけでなく柄３１Ｄが指から離れにくい。
【実施例６】
【００６７】
図１８を参照して実施例６を説明する。
実施例６にあっては、本発明の持ち手部の構造を、カールアイロンの持ち手部に適用したものである。
【００６８】
図１８はカールアイロン１Ｅを例示する。
カールアイロン１Ｅは、作用部であるこて部２０Ｅと、持ち手部分である柄３１Ｅとからなる。柄３１Ｅに本発明の持ち手部の構造が適用されている。よって実施例１〜実施例５と同一部分には同一符号を付して説明を省略する。
【００６９】
実施例６にあっても柄３１Ｅには三次元的凹凸部４０が形成されているので、これを利き指で持ったときの指に柄３１Ｅがフィットする感覚が極めて優れているといえる。よって、使用者はカールアイロン１Ｅで髪にアイロンをかける場合に扱い易く感じるだけでなく柄３１Ｅが指から離れにくい。
【００７０】
本発明は上述の実施例にのみ限定されるものではなく、本発明の要旨を逸脱しない範疇において種種変更を加え得ることは勿論である。なお、上記実施例以外にもヘアーブラシの持ち手部に本発明を適用することも考えられる。要するに本発明は、デリケートな作業を要する物品に持ち手部があれば、当該持ち手部に適用することが可能である。また、実施例３以降の物品には、それらの持ち手部に係止部３２が無いものを開示したがあってもよいのは勿論である。
【図面の簡単な説明】
【００７１】
【図１】本発明に係る持ち手部分の実施例１を示し、歯ブラシに適用した場合を示す斜視図である。
【図２】図１の側面図である。
【図３】図１の持ち手部分をその持ち手部分で把持している状態を示す斜視図である。
【図４】図１の持ち手部分の持ち手部分を親指・人差し指・中指で持っている状態を示す斜視図である。
【図５】図４の要部拡大側面図である。
【図６】図３の要部横断面図である。
【図７】図４の要部横断面図である。
【図８】図２のＶＩＩＩ−ＶＩＩＩ線拡大断面図である。
【図９】持ち手部分の三次元的凹凸部を形成する単位面の平面図である。
【図１０】図９のＸ−Ｘ線断面図である。
【図１１】図９のＸＩ−ＸＩ線断面図である。
【図１２】図１の歯ブラシをひもに吊下している状態を示す斜視図である。
【図１３】本発明に係る持ち手部分の実施例２を示し、剃り用のレザーに適用した場合を示す斜視図である。
【図１４】本発明に係る持ち手部分の実施例３を示し、マスカラブラシに適用した場合を示す斜視図である。
【図１５】実施例３の応用例を示し、リキッドアイライナーに適用した場合を示す斜視図である。
【図１６】本発明に係る持ち手部分の実施例４を示し、アイブロウペンシルに適用した場合を示す斜視図である。
【図１７】本発明に係る持ち手部分の実施例５を示し、両歯カミソリに適用した場合を示す斜視図である。
【図１８】本発明に係る持ち手部分の実施例６を示し、カールアイロンに適用した場合を示す斜視図である。
【符号の説明】
【００７２】
１  歯ブラシ
１Ａ  レザー
１Ｂ  マスカラブラシ
１Ｃ  アイブロウペンシル
１Ｄ  両刃カミソリ
１Ｅ  カールアイロン
２０  植毛部（作用部）
２０Ａ  レザー部（作用部）
２０Ｂ  ブラシ部（作用部）
２０Ｃ  芯先（作用部）
２０Ｄ  刃部（作用部）
２０Ｅ  こて部（作用部）
２１  ブラシ毛
２１Ｂ  短寸ブラシ
２１ｂ  筆部
３１  持ち手部分
３１Ａ  持ち手部分
３１Ｂ  持ち手部分
３１Ｃ  柄（持ち手部分）
３１Ｄ  柄（持ち手部分）
３１Ｅ  柄（持ち手部分）
３２  係止部
４０  三次元的凹凸部
５０  単位面
６０  境界稜線
６０ａｂ  稜線
６０ｂｃ  稜線
６０ｃｄ  稜線
６０ｄａ  稜線
７０  交差点部
１００  マスカラ容器
１００ａ  開口
３１Ａ  持ち手部分
３１Ｃ  持ち手部分
Ｃ  軸心
Ｃ１  仮想円
Ｃ２  仮想円
Ｌ  軸方向対角線長さ
Ｌ’単位面の縦断面での実際の長さ
Ｗ  周方向対角線長さ
Ｗ’単位面の横断面での実際の長さ
ａ  上方頂点
ｂ  左方頂点
ｃ  下方頂点
ｄ  右方頂点
ａｂ  一定区間
ｂｃ  一定区間
ｃｄ  一定区間
ｄａ  一定区間
ａｂｃｄ  四辺形
ａｃ  軸方向対角線
ｂｄ  周方向対角線
ｍ  中央点
ｒ１  仮想円Ｃ１の半径
ｒ２  仮想円Ｃ２の半径
【図１】
2007236768.tif 000003
【図２】
2007236768.tif 000004
【図３】
2007236768.tif 000005
【図４】
2007236768.tif 000006
【図５】
2007236768.tif 000007
【図６】
2007236768.tif 000008
【図７】
2007236768.tif 000009
【図８】
2007236768.tif 000010
【図９】
2007236768.tif 000011
【図１０】
2007236768.tif 000012
【図１１】
2007236768.tif 000013
【図１２】
2007236768.tif 000014
【図１３】
2007236768.tif 000015
【図１４】
2007236768.tif 000016
【図１５】
2007236768.tif 000017
【図１６】
2007236768.tif 000018
【図１７】
2007236768.tif 000019
【図１８】
2007236768.tif 000020